(57)【要約】【課題】第１カバー体の開放時に、第２カバー体が開放可能であることをユーザーが認識することができる画像形成装置を提供する。【解決手段】画像形成装置１は、画像形成部４と、筐体２と、開閉部８とを備える。画像形成部４は、シートＳに画像を形成する。筐体２は、画像形成部４を内部に収容する。開閉部８は、筐体２に対して開閉可能である。筐体２は、筐体２の前面に形成される第１開口２ａと、筐体２の上面に形成される第２開口２ｂとを有する。開閉部８は、第１カバー体８１と、第２カバー体８５と、連動部９とを有する。第１カバー体８１は、第１開口２ａを覆う。第１カバー体８１は、開閉可能である。第２カバー体８５は、第２開口２ｂを覆う。第２カバー体８５は、開閉可能である。連動部９は、第１カバー体８１が開放されると第２カバー体８５を開放する。【選択図】図１
2019020454.tif 000002
【特許請求の範囲】
【請求項１】
記録媒体に画像を形成する画像形成部と、
前記画像形成部を内部に収容する筐体と、
前記筐体に対して開閉可能な開閉部と
を備え、
前記筐体は、前記筐体の側面に形成される第１開口と、前記筐体の上面に形成される第２開口とを有し、
前記開閉部は、前記第１開口を覆う開閉可能な第１カバー体と、前記第２開口を覆う開閉可能な第２カバー体と、前記第１カバー体が開放されると前記第２カバー体を開放する連動部とを有する、画像形成装置。
【請求項２】
前記第１カバー体は、第１カバー本体と、前記第１カバー本体の下端部に位置する第１軸部とを有し、
前記第２カバー体は、第２カバー本体と、前記第２カバー本体の前記第１カバー体に遠い側の端部に位置する第２軸部とを有し、
前記第１カバー体が前記第１開口を覆う閉位置に位置し、かつ前記第２カバー体が前記第２開口を覆う閉位置に位置する際に、前記第２カバー本体の前記第１カバー体に近い側の端面は、前記第１カバー本体に対向する、請求項１に記載の画像形成装置。
【請求項３】
前記連動部は、前記第１カバー本体から前記筐体の内側に向かって延びる第１リンク片と、前記第１リンク片によって摺動可能に支持される第２リンク片と、前記第２リンク片に連結される上下動可能な第３リンク片とを有し、
前記第１リンク片は、前記第１カバー体が前記第１カバー体の前記閉位置から前記第１開口を開放する前記第１カバー体の開放位置まで開放される際に、前記第２リンク片を上昇させ、
前記第２リンク片は、上昇する際に、前記第３リンク片を上昇させ、
前記第３リンク片は、上昇すると、前記第２カバー体を押し上げて前記第２カバー体を前記第２カバー体の前記閉位置から前記第２開口を開放する前記第２カバー体の開放位置まで開放させる、請求項２に記載の画像形成装置。
【請求項４】
前記第１リンク片は、前記第２リンク片を支持する円弧状の支持面を有し、
前記第２リンク片は、前記支持面に沿って摺動する、請求項３に記載の画像形成装置。
【請求項５】
前記第１リンク片は、前記支持面から隆起する隆起部を更に有し、
前記支持面及び前記隆起部は、前記第１リンク片の上面部に形成され、
前記隆起部は、前記支持面に滑らかに連続する、請求項４に記載の画像形成装置。
【請求項６】
前記連動部は、前記第２リンク片及び前記第３リンク片に連結された第４リンク片を更に有し、
前記第４リンク片は、前記第３リンク片の移動方向を上下方向に規制する、請求項３から請求項５のいずれか１項に記載の画像形成装置。
【発明の詳細な説明】
【技術分野】
【０００１】
本発明は、画像形成装置に関する。
【背景技術】
【０００２】
特許文献１に記載の画像形成装置は、筐体を備える。筐体は、本体前壁と、上壁とを含む。本体前壁は、前カバーを有する。前カバーは、下端側を支点として、筐体に対して開閉可能である。上壁は、中央部と、前端部とを有する。前端部は、中央部の前側に起立するように開放可能である。前端部は、前カバーを開放した後に開放可能である。特許文献１に記載の画像形成装置では、例えば、ジャム処理のために、前カバー及び前端部が開放される。
【先行技術文献】
【特許文献】
【０００３】
【特許文献１】特開２０１７−５４０２３号公報
【発明の概要】
【発明が解決しようとする課題】
【０００４】
しかしながら、特許文献１に記載の画像形成装置では、筐体の上面に設けられるカバー体（前端部）が開放可能であることをユーザーが気付かない可能性がある。したがって、カバー体の開放については改善の余地がある。
【０００５】
本発明は上記課題に鑑みてなされたものであり、その目的は、筐体の上面に設けられるカバー体が開放可能であることをユーザーが認識することができる画像形成装置を提供することにある。
【課題を解決するための手段】
【０００６】
本発明の画像形成装置は、画像形成部と、筐体と、開閉部とを備える。前記画像形成部は、記録媒体に画像を形成する。前記筐体は、前記画像形成部を内部に収容する。前記開閉部は、前記筐体に対して開閉可能である。前記筐体は、第１開口と、第２開口とを有する。前記第１開口は、前記筐体の側面に形成される。前記第２開口は、前記筐体の上面に形成される。前記開閉部は、第１カバー体と、第２カバー体と、連動部とを有する。前記第１カバー体は、前記第１開口を覆う。前記第１カバー体は、開閉可能である。前記第２カバー体は、前記第２開口を覆う。前記第２カバー体は、開閉可能である。前記連動部は、前記第１カバー体が開放されると前記第２カバー体を開放する。
【発明の効果】
【０００７】
本発明の画像形成装置によれば、筐体の上面に設けられるカバー体が開放可能であることをユーザーが認識することができる。
【図面の簡単な説明】
【０００８】
【図１】本発明の実施形態に係る画像形成装置の構成を示す図である。
【図２】本発明の実施形態に係る画像形成装置を示す斜視図である。
【図３】本発明の実施形態に係る連動部を示す斜視図である。
【図４】本発明の実施形態に係る第１カバー体及び第２カバー体を示す側面図である。
【図５】本発明の実施形態に係る第１カバー体及び第２カバー体を示す側面図である。
【図６】（ａ）は、本発明の実施形態に係る第３リンク片の左側の側面を示す図であり、（ｂ）は、本発明の実施形態に係る本体部及び第３リンク片の左側の側面を示す図である。
【発明を実施するための形態】
【０００９】
以下、図面を参照して本発明の実施形態を説明する。ただし、本発明は以下の実施形態に限定されない。なお、図中、同一又は相当部分については、同一の参照符号を付して説明を繰り返さない。
【００１０】
図１を参照して、本発明の実施形態に係る画像形成装置１について説明する。図１は、本実施形態に係る画像形成装置１の構成を示す図である。図１に示すように、画像形成装置１は、印刷機である。画像形成装置１は、シートＳに画像を形成する。
【００１１】
シートＳは、本発明の記録媒体の一例である。シートＳは、例えば、普通紙、コピー紙、再生紙、薄紙、厚紙、光沢紙、又はＯＨＰ（Ｏｖｅｒｈｅａｄ  Ｐｒｏｊｅｃｔｏｒ）用紙である。
【００１２】
画像形成装置１は、筐体２と、給紙部３と、画像形成部４と、定着部５と、排出トレイ６と、開閉部８とを備える。筐体２は、箱状に形成される。筐体２は、給紙部３と、画像形成部４と、定着部５とを内部に収容する。
【００１３】
筐体２は、第１開口２ａと、第２開口２ｂと、上面部２１とを有する。上面部２１には、排出トレイ６が形成される。図１において、第１開口２ａが配置される側を画像形成装置１の前方とし、前後方向を規定する。また、前方から画像形成装置１に向かって左側を画像形成装置１の左方とし、左右方向を規定する。また、前後方向及び左右方向に直交する方向を上下方向と規定する。
【００１４】
本実施形態において、第１開口２ａは、筐体２の前面（前方側の側面）に形成される。第２開口２ｂは、筐体２の上面に形成される。詳しくは、第２開口２ｂは、筐体２の上面において、上面部２１の前側に形成される。第２開口２ｂは、第１開口２ａに連なる。
【００１５】
給紙部３は、少なくとも１枚のシートＳを給紙する。詳しくは、給紙部３は、少なくとも１つの給紙カセット３１を有する。給紙カセット３１は、筐体２の下端部に配置される。給紙カセット３１は、筐体２に着脱可能である。また、給紙カセット３１には、複数のシートＳが載置され得る。給紙カセット３１は、シートＳの搬送方向の下流側に向かってシートＳを給紙する。
【００１６】
画像形成部４は、像担持体４１と、帯電部４２と、露光部４３と、現像部４４と、転写部４５とを有する。画像形成部４は、給紙部３から給紙されるシートＳにトナー画像を形成する。定着部５は、シートＳにトナー画像を定着させる。トナー画像が定着されたシートＳは、排出トレイ６に排出される。
【００１７】
開閉部８は、筐体２に対して開閉可能である。開閉部８は、第１開口２ａと第２開口２ｂとを覆う。開閉部８は、第１カバー体８１と、第２カバー体８５と、連動部９とを有する。
【００１８】
第１カバー体８１は、筐体２の前面に配置される。第１カバー体８１は、筐体２の前面において、給紙カセット３１の上側に配置される。第１カバー体８１は、第１開口２ａを覆う。第１カバー体８１は、第１カバー本体８２と、第１軸部８３とを有する。
【００１９】
第１カバー本体８２は、板状に形成される。第１軸部８３は、第１カバー本体８２の下端部に設けられる。第１軸部８３は、筐体２に軸支される。したがって、第１カバー本体８２は、第１軸部８３を中心に第１軸部８３の回りを回転可能である。この結果、第１カバー体８１は、第１カバー体８１の下端部に位置する軸心回りで、筐体２に対して開閉可能である。
【００２０】
第２カバー体８５は、筐体２の上面に配置される。第２カバー体８５は、筐体２の上面において、排出トレイ６の前側に配置される。第２カバー体８５は、第２開口２ｂを覆う。第２カバー体８５は、第２カバー本体８６と、第２軸部８７とを有する。
【００２１】
第２カバー本体８６は、板状に形成される。第２軸部８７は、第２カバー本体８６の後端部に設けられる。第２軸部８７は、筐体２に軸支される。したがって、第２カバー本体８６は、第２軸部８７を中心に第２軸部８７の回りを回転可能である。この結果、第２カバー体８５は、第２カバー体８５の後端部に位置する軸心回りで、筐体２に対して開閉可能である。
【００２２】
第１カバー体８１及び第２カバー体８５が閉位置に位置する際に、第２カバー本体８６の前端面は、第１カバー本体８２の後面の上端部に対向する。
【００２３】
連動部９は、第１カバー体８１が開放される際に、第２カバー体８５を開放する。また、連動部９は、第１カバー体８１が開放されると、第２カバー体８５が開放された状態を維持する。
【００２４】
本実施形態の画像形成装置１では、第１カバー体８１が開放される際に、連動部９によって第２カバー体８５が開放される。したがって、第２カバー体８５が開放可能であることをユーザーが認識することができる。詳しくは、本実施形態において、連動部９は、第１カバー体８１が開放されると、第２カバー体８５を筐体２の上面に対して傾斜した姿勢にする。例えば、連動部９は、第２カバー体８５を筐体２の上面に対して４５度傾斜させる。
【００２５】
次に、図２を参照して第１カバー体８１の開閉について更に説明する。図２は、画像形成装置１を示す斜視図である。詳しくは、図２は、第１カバー体８１及び第２カバー体８５が開放された状態を示す。
【００２６】
図２に示すように、第１カバー体８１は、図１に示す閉位置から図２に示す開放位置まで開くことができる。第１カバー体８１が閉位置に位置する際に、第１カバー体８１は、第１開口２ａを覆う。第１カバー体８１が開放位置に位置する際に、第１カバー体８１は、第１開口２ａを開放する。
【００２７】
第２カバー体８５が閉位置に位置する際に、第２カバー体８５は、第２開口２ｂを覆う。第２カバー体８５が開放位置に位置する際に、第２カバー体８５は、第２開口２ｂを開放する。本実施形態において、第２カバー体８５は、連動部９によって開放位置まで開放される。
【００２８】
開閉部８は、第１カバー体８１、第２カバー体８５、及び図１を参照して説明した連動部９に加えて、解除ボタン８０を更に有する。第１カバー体８１が閉位置に位置する際に、ユーザーによって解除ボタン８０が操作されると、第１カバー体８１が開放される。詳しくは、筐体２は、係合部を有する。係合部は、第１カバー体８１が閉位置に位置する際に第１カバー本体８２に係合する。また、筐体２は、第１カバー体８１が閉位置に位置する際に、第１カバー本体８２を前方に押圧する押圧部を更に有する。解除ボタン８０がユーザーによって操作されると、第１カバー本体８２と係合部との係合が解除される。この結果、押圧部によって、第１カバー体８１が開放される。
【００２９】
第１カバー体８１は、押圧部によって開放された後に、第１カバー本体８２の自重によって開放位置まで開放する。したがって、ユーザーが解除ボタン８０を操作すると、第１カバー体８１が開放されるとともに、第１カバー体８１に連動して第２カバー体８５も開放される。よって、ユーザーは、第１カバー体８１及び第２カバー体８５を容易に開放することができる。
【００３０】
次に、図３を参照して、連動部９の構成について説明する。図３は、連動部９を示す斜視図である。詳しくは、図３は、連動部９の右側面を後方から目視した図である。
【００３１】
図３に示すように、連動部９は、本体部９０と、第１リンク片９１と、第２リンク片９２と、第３リンク片９３と、第４リンク片９４と、固定軸９５と、第１可動軸９６と、第２可動軸９７とを有する。本体部９０は、筐体２に固定される。固定軸９５は、本体部９０に固定される。
【００３２】
第１リンク片９１は、第１カバー体８１から筐体２の内側に向かって延びる。詳しくは、第１リンク片９１は、第１カバー本体８２の背面部に固定される。第１リンク片９１の形状は、側面視において、円弧状である。第１カバー体８１が閉位置に位置する際に、第１リンク片９１は、第１カバー本体８２の背面部から後側下方に向かって円弧状に延びる。また、第１リンク片９１は、支持面９１ａを有する。支持面９１ａは、第１リンク片９１の上面部に形成される。支持面９１ａは、第１軸部８３と同心の円弧状である。支持面９１ａは、第２リンク片９２を支持する。
【００３３】
第１リンク片９１は、隆起部９１ｂを更に有する。隆起部９１ｂは、第１リンク片９１の後端部に形成される。隆起部９１ｂは、支持面９１ａから隆起する。詳しくは、隆起部９１ｂは、支持面９１ａから支持面９１ａの径方向の外方へ向けて突出する。隆起部９１ｂの形状は、側面視において、円弧状である。隆起部９１ｂは、支持面９１ａと滑らかに連続する。第１カバー体８１が開放されると、第１リンク片９１が第１軸部８３を支点として旋回し、隆起部９１ｂの位置が上昇する。
【００３４】
第２リンク片９２は、第１リンク片９１の支持面９１ａ及び隆起部９１ｂによって支持される。第２リンク片９２の形状は、側面視において、支持面９１ａの円弧形状に対応する円弧状である。第２リンク片９２は、支持面９１ａ及び隆起部９１ｂに沿って摺動可能である。第２リンク片９２は、第１カバー体８１が開放されると、支持面９１ａに沿って摺動した後に、隆起部９１ｂに沿って摺動する。この結果、第２リンク片９２の後端部は、第１カバー体８１が開放されると、隆起部９１ｂによって持ち上げられる。第２リンク片９２の後端部には、第１可動軸９６が設けられる。第２リンク片９２の前端部には、第２可動軸９７が設けられる。第２可動軸９７は、支持面９１ａに沿って移動可能である。第２リンク片９２は、第２可動軸９７を支点として揺動可能である。
【００３５】
第３リンク片９３は、上下方向に沿って延びる。第３リンク片９３の上端部は、第２カバー本体８６に当接する。第３リンク片９３は、上下方向の中央部に形成された開口９３ａを有する。開口９３ａは、上下方向に沿って延びる。第３リンク片９３の開口９３ａには、固定軸９５が挿し込まれる。この結果、第３リンク片９３は、開口９３ａが延びる方向に沿って移動可能に固定軸９５を介して本体部９０に支持される。
【００３６】
第３リンク片９３の下端部は、第１可動軸９６を軸支する。この結果、第３リンク片９３の下端部と第２リンク片９２の後端部とが第１可動軸９６を介して連結される。したがって、第３リンク片９３は、第１カバー体８１が開放されると、第２リンク片９２の後端部の上昇にともなって上昇する。第３リンク片９３が上昇される際に、第３リンク片９３の上端部は、第２カバー本体８６を押し上げて、第２カバー体８５を開放させる。
【００３７】
第４リンク片９４は、第３リンク片９３の移動方向を上下方向に規制する。具体的には、第４リンク片９４は、固定軸９５から第２可動軸９７に向かって延びる。詳しくは、第４リンク片９４は、後端部（固定軸９５側の端部）に形成された開口９４ａを有する。開口９４ａは、第４リンク片９４が延在する方向に延びる。第４リンク片９４の開口９４ａには、固定軸９５が挿し込まれる。この結果、第４リンク片９４は、固定軸９５を介して本体部９０に支持される。詳しくは、第４リンク片９４は、開口９４ａが延びる方向に沿って移動可能に固定軸９５によって支持される。第４リンク片９４の前端部（第２可動軸９７側の端部）は、第２可動軸９７を軸支する。したがって、第４リンク片９４の前端部と第２リンク片９２の前端部とが第２可動軸９７を介して連結される。
【００３８】
次に、図４を参照して、本体部９０の構成について更に説明する。図４は、第１カバー体８１及び第２カバー体８５を示す側面図である。図４に示すように、本体部９０の下部には、上下方向に延びるガイド溝９０ａが形成されている。第１可動軸９６の一端は、ガイド溝９０ａに挿入される。第１可動軸９６は、ガイド溝９０ａに沿って上下方向に移動可能である。
【００３９】
次に、図４及び図５を参照して、第１カバー体８１及び第２カバー体８５の開閉について説明する。図５は、第１カバー体８１及び第２カバー体８５を示す側面図である。詳しくは、図４に示す第１カバー体８１及び第２カバー体８５は、閉位置に位置する。図５に示す第１カバー体８１及び第２カバー体８５は、開放位置に位置する。
【００４０】
図４に示すように、第１カバー体８１及び第２カバー体８５が閉位置に位置する際に、第１リンク片９１の隆起部９１ｂは、最も低い位置に位置する。第２リンク片９２は、第１リンク片９１の前端部から中央部に跨るように、第１リンク片９１の支持面９１ａによって支持される。
【００４１】
図５に示す矢印Ｄ１は、第１カバー体８１が開放する方向を示す。また、図５に示す矢印Ｄ２は、第２カバー体８５が開放する方向を示す。図５に示すように、第１カバー体８１が閉位置から矢印Ｄ１に沿って開かれた際に、第１リンク片９１の前端部は、前方に移動する。これにより、第１リンク片９１は、第１軸部８３を支点として旋回する。第１リンク片９１が旋回する際に、第２リンク片９２は、支持面９１ａ及び隆起部９１ｂに沿って摺動する。第２リンク片９２が隆起部９１ｂに沿って摺動する際に、第２リンク片９２の後端部は、上昇し、第３リンク片９３を上昇させる。この結果、第３リンク片９３の上端部が第２カバー本体８６を押し上げ、第２カバー体８５が閉位置から矢印Ｄ２に沿って開かれる。
【００４２】
本実施形態において、開放位置に位置する第２カバー本体８６は、閉位置に位置する際の第２カバー本体８６に対して鋭角に傾斜する。典型的には、開放位置に位置する第２カバー本体８６は、閉位置に位置する第２カバー本体８６に対して４５°の角度で傾斜する。したがって、第１カバー体８１の開放時に、第２カバー体８５が開放可能であることをユーザーが認識することができる。
【００４３】
次に、図６（ａ）及び（ｂ）を参照して、連動部９について更に説明する。図６（ａ）は、第３リンク片９３の左側の側面を示す図である。図６（ｂ）は、本体部９０及び第３リンク片９３の左側の側面を示す図である。
【００４４】
図６（ａ）及び図６（ｂ）に示すように、連動部９は、弾性部材９８を更に有する。弾性部材９８は、第３リンク片９３の下端部に固定される。弾性部材９８は、第３リンク片９３の下端部から上方に向かって延びる。弾性部材９８は、例えば、バネである。
【００４５】
第３リンク片９３が本体部９０に対して上方に移動する際に、弾性部材９８の上端部は、本体部９０に当接する。この結果、弾性部材９８は、本体部９０と第３リンク片９３との間で圧縮される。本実施形態の画像形成装置１では、第１カバー体８１が開放される際に、弾性部材９８が本体部９０と第３リンク片９３との間で圧縮される。したがって、第１カバー体８１が開く速度が弾性部材９８によって減速される。この結果、連動部９は、第１カバー体８１が開放される際に、画像形成装置１に作用する衝撃を低減することができる。
【００４６】
以上、図１から図６を参照して、本発明の実施形態に係る画像形成装置１について説明した。但し、本発明は、上記の実施形態に限られるものではなく、その要旨を逸脱しない範囲で種々の態様において実施することが可能である。
【００４７】
例えば、本発明の実施形態では、第２カバー体８５は、閉位置から開放位置まで開放されたが、本発明はこれに限定されない。第２カバー体８５は、開放位置から更に開放されてもよい。例えば、第２カバー体８５は、第２カバー本体８６が直立する位置まで開放され得る。第２カバー体８５は、例えば、直立する位置までユーザーによって開放される。この結果、開閉部８がより大きく開放され、例えば、筐体２の後端側でのジャム処理を容易に実施することができる。
【００４８】
なお、図面は、理解しやすくするために、それぞれの構成要素を主体に模式的に示しており、図示された各構成要素の厚み、長さ等は、図面作成の都合上から実際とは異なる。また、上記の実施形態で示す各構成要素の形状等は一例であって、特に限定されるものではなく、本発明の効果から実質的に逸脱しない範囲で種々の変更が可能である。
【産業上の利用可能性】
【００４９】
本発明は、記録媒体に画像を形成し得る画像形成装置に関するものであり、第１カバー体と第２カバー体とを有する開閉部の開閉に有用である。
【符号の説明】
【００５０】
１        画像形成装置
２        筐体
２ａ      第１開口
２ｂ      第２開口
４        画像形成部
８        開閉部
９        連動部
８１      第１カバー体
８５      第２カバー体
Ｓ        シート
【図１】
2019020454.tif 000003
【図２】
2019020454.tif 000004
【図３】
2019020454.tif 000005
【図４】
2019020454.tif 000006
【図５】
2019020454.tif 000007
【図６】
2019020454.tif 000008